(57)【要約】【課題】清掃面を殺菌することができると共に、細菌やダニなどを充分に吸込むことができる掃除機を提供する。【解決手段】掃除機１に、吸込風を発生させる電動送風機１１、電動送風機１１を被覆した本体ケース１２、本体ケース１２に取付けられ集塵口１３ａ有した集塵カバー１３、集塵カバー１３内に配置されたフィルタ１４、本体ケース１２に取付けられた給電ソケット１５及び電源スイッチ１６を備えた掃除機本体１０と、集塵口１３ａと連通した吸込凹部３１ｂを有し掃除機本体１０に着脱自在に取付けられた吸込具ケース３１、吸込具ケース３１に取付けられ給電ソケット１５と結合する給電プラグ３２、吸込凹部３１ｂ内に取付けられ給電プラグ３２を介した電気の供給により紫外線を照射する紫外線ランプ３３を備えた吸込具本体３０と、を具備させる。【選択図】図３
0003183236.tif 000002
【実用新案登録請求の範囲】
【請求項１】
吸込風を発生させて塵埃を集める掃除機本体と、該掃除機本体に着脱自在に取付けられており該掃除機本体からの吸込風により塵埃を吸込む吸込口を底面に備えた吸込具本体とを具備し、
前記掃除機本体は、
吸込風を発生させる電動送風機と、
該電動送風機を被覆し前端に吸気口が後端に排気口が夫々形成されていると共に上部に取っ手が形成された本体ケースと、
該本体ケースの前端側に取付けられており前端に集塵口が形成された容器状の集塵カバーと、
該集塵カバー内で前記集塵口と前記吸気口との間に配置されており塵埃を濾過するフィルタと、
前記本体ケースの前端に取付けられた給電ソケットと、
前記本体ケースの上部に取付けられており前記電動送風機及び前記給電ソケットに電気を通電させる電源スイッチと
を備え、且つ、
前記吸込具本体は、
前記掃除機本体の前端側が挿入されている挿入凹部、及び該挿入凹部に前端側が挿入されている前記掃除機本体の前記集塵口と連通していると共に底面に開口した前記吸込口から上方へ凹んだ吸込凹部を有している吸込具ケースと、
該吸込具ケースに取付けられており前記給電ソケットと結合する給電プラグと、
前記吸込凹部内に取付けられており前記給電プラグを介した電気の供給により紫外線を照射する紫外線ランプと
を備えていることを特徴とする掃除機。
【請求項２】
前記吸込具本体は、
前記吸込具ケースの底面に取付けられた振動子と、
前記吸込具ケース内に取付けられており前記給電プラグを介した電気の供給により前記振動子を上下に振動させる振動駆動装置と
を更に有していることを特徴とする請求項１に記載の掃除機。
【請求項３】
前記吸込具本体は、
前記吸込具ケースの上面に夫々取付けられており、前記給電プラグと前記紫外線ランプとの間に備えられたランプスイッチと、前記給電プラグと前記振動駆動装置との間に備えられた振動スイッチとを、更に有していることを特徴とする請求項２に記載の掃除機。
【考案の詳細な説明】
【技術分野】
【０００１】
本考案は、掃除機に関するものである。
【背景技術】
【０００２】
吸込風を発生させる電動送風機を備えた掃除機では、発生させた吸込風により、床面、布団や絨毯などの清掃面に付着した塵埃を吸込む。しかしながら、清掃面に細菌やダニなどが付着している場合、吸込風だけでは充分に吸込むことができず、掃除機で掃除したにも関らず清掃面に細菌やダニなどが残ってしまう問題があった。
【考案の概要】
【考案が解決しようとする課題】
【０００３】
本考案は、清掃面を殺菌することができると共に、細菌やダニなどを充分に吸込むことができる掃除機の提供を課題とする。
【課題を解決するための手段】
【０００４】
上記課題を解決するために、本考案に係る掃除機は、「吸込風を発生させて塵埃を集める掃除機本体と、該掃除機本体に着脱自在に取付けられており該掃除機本体からの吸込風により塵埃を吸込む吸込口を底面に備えた吸込具本体とを具備し、前記掃除機本体は、吸込風を発生させる電動送風機と、該電動送風機を被覆し前端に吸気口が後端に排気口が夫々形成されていると共に上部に取っ手が形成された本体ケースと、該本体ケースの前端側に取付けられており前端に集塵口が形成された容器状の集塵カバーと、該集塵カバー内で前記集塵口と前記吸気口との間に配置されており塵埃を濾過するフィルタと、前記本体ケースの前端に取付けられた給電ソケットと、前記本体ケースの上部に取付けられており前記電動送風機及び前記給電ソケットに電気を通電させる電源スイッチとを備え、且つ、前記吸込具本体は、前記掃除機本体の前端側が挿入されている挿入凹部、及び該挿入凹部に前端側が挿入されている前記掃除機本体の前記集塵口と連通していると共に底面に開口した前記吸込口から上方へ凹んだ吸込凹部を有している吸込具ケースと、該吸込具ケースに取付けられており前記給電ソケットと結合する給電プラグと、前記吸込凹部内に取付けられており前記給電プラグを介した電気の供給により紫外線を照射する紫外線ランプとを備えている」ことを特徴とする。
【０００５】
上記構成の掃除機は、掃除機本体に吸込具本体を取付けた状態で、電源スイッチを操作することにより、電動送風機が作動すると共に紫外線ランプが点灯する。電動送風機の作動により、吸込具本体の底面に開口した吸込口から掃除機本体の排気口へ向う吸込風が発生し、吸込具本体の底面に開口した吸込口から空気と伴に塵埃などを吸込むことができる。吸込口から吸込まれた塵埃などは、吸込口から上方へ凹んだ吸込凹部及び集塵口を通って集塵カバー内へ送られ、集塵カバー内のフィルターにより捕集されることにより集塵カバー内に蓄積される。一方、塵埃などと伴に吸込まれた空気は、フィルター及び吸気口を通って本体ケースの後端の排気口から外部へ排気される。
【０００６】
本考案の掃除機によれば、吸込口から上方へ凹んだ吸込凹部内に紫外線ランプが取付けられているため、床面、布団や絨毯などの清掃面へ、吸込凹部の下端となる吸込口を通して紫外線ランプからの紫外線を照射することができ、紫外線により清掃面に付着した細菌を殺菌したり、殺すなどのダメージをダニに与えたりすることができる。また、清掃面として布団や絨毯などにしがみ付いているダニなどに対して、紫外線によりダメージを与えることができるため、布団などにしがみ付いたダニなどを、清掃面から充分に吸込むことができる。
【０００７】
また、吸込凹部内に紫外線ランプを取付けているため、吸込口から吸込まれた塵埃などを吸込凹部内で紫外線により殺菌することができる。従って、集塵カバー内において、細菌などの繁殖を抑制することができ、細菌などの繁殖による異臭の発生を低減させることができる。
【０００８】
更に、掃除機本体から吸込具本体を取外した状態で、電源スイッチを操作することにより、掃除機本体の集塵口から塵埃などを吸込むことができるため、掃除機本体のみでも清掃面などを清掃することができる。
【０００９】
本考案に係る掃除機は、上記構成に加えて、「前記吸込具本体は、前記吸込具ケースの底面に取付けられた振動子と、前記吸込具ケース内に取付けられており前記給電プラグを介した電気の供給により前記振動子を上下に振動させる振動駆動装置とを更に有している」ことを特徴としても良い。
【００１０】
ここで、「振動駆動装置」としては、「振動子に取付けられた磁性体と、磁性体を介して振動子を上下へ移動させる電磁石と、を備えた装置」、「振動子に連結されたクランクピンを有したクランク部材と、クランク部材を回転させるモータと、を備えた装置」、等を例示することができる。
【００１１】
本考案の掃除機によれば、吸込具本体の底面に振動駆動装置により上下に振動する振動子を備えているため、振動子によって清掃面を叩くことにより、清掃面に付着した細菌やダニ、塵埃などを浮き上がらせることができ、塵埃などを吸込口から吸込み易くすることができる。
【００１２】
本考案に係る掃除機は、上記構成に加えて、「前記吸込具本体は、前記吸込具ケースの上面に夫々取付けられており、前記給電プラグと前記紫外線ランプとの間に備えられたランプスイッチと、前記給電プラグと前記振動駆動装置との間に備えられた振動スイッチとを、更に有している」ことを特徴としても良い。
【００１３】
本考案の掃除機によれば、吸込具本体にランプスイッチと振動スイッチを備えているため、掃除機本体の電源スイッチを操作（ＯＮに）した状態で、ランプスイッチや振動スイッチを操作することにより、紫外線ランプを点灯又は消灯させたり、振動子を振動又は停止させたりすることができる。従って、掃除する清掃面に応じて、紫外線による殺菌や、振動子による振動を使い分けることができ、掃除機の汎用性を高めることができる。
【考案の効果】
【００１４】
上記のように本考案によると、清掃面を殺菌することができると共に、細菌やダニなどを充分に吸込むことができる掃除機を提供できる。
【図面の簡単な説明】
【００１５】
【図１】本考案の一実施形態である掃除機の斜視図である。
【図２】掃除機の底面図である。
【図３】掃除機の一部を切欠いて内部を示す右側面図である。
【図４】掃除機を掃除機本体と吸込具本体とに分離した状態を示す斜視図である。
【図５】掃除機本体の別の使用例を示す説明図である。
【図６】掃除機本体の更に別の使用例を示す説明図である。
【考案を実施するための形態】
【００１６】
本考案の一実施形態である掃除機１について、図１乃至図６を参照して詳細に説明する。ここでは、図３において左側及び右側を、掃除機１の前側及び後側として、以下説明する。本考案の掃除機１は、吸込風を発生させて塵埃を集める掃除機本体１０と、掃除機本体１０に着脱自在に取付けられており掃除機本体１０からの吸込風により塵埃を吸込む吸込口３０ａを底面に備えた吸込具本体３０とを備えている。
【００１７】
掃除機本体１０は、吸込風を発生させる電動送風機１１と、電動送風機１１を被覆し上部に取っ手１２ａが形成された本体ケース１２と、本体ケース１２の前端側に取付けられており前端に集塵口１３ａが形成された容器状の集塵カバー１３と、集塵カバー１３内に配置されており塵埃を濾過するフィルタ１４と、本体ケース１２の前端に取付けられた給電ソケット１５と、本体ケース１２の上部に取付けられており電動送風機１１及び給電ソケット１５に電気を通電させる電源スイッチ１６と、を備えている。
【００１８】
また、掃除機本体１０は、本体ケース１２の上部に取付けられており集塵カバー１３を取り外しするための取外ボタン１７と、本体ケース１２の左右両側面の下部から外方へ突出した着脱爪１８と、本体ケース１２において着脱爪１８の後側に配置され押圧することで着脱爪１８を本体ケース１２内に没入させる着脱ボタン１９と、集塵カバー１３の集塵口１３ａを内側から閉鎖するリード弁２０と、本体ケース１２の後端から外方へ延出しており商用電源に接続される電源コード２１と、を備えている。
【００１９】
本体ケース１２は、電動送風機１１による吸込風を吸込むための吸気口１２ｂが前端に形成されていると共に、電動送風機１１による吸込風を排気するための排気口１２ｃが後端に形成されている。また、本体ケース１２には、円柱状に窪んだ連結孔１２ｄが後端に形成されている。
【００２０】
集塵カバー１３は、前端側が窄まり後端側が開放された容器状に形成されている。集塵カバー１３の後端側は、本体ケース１２の前端が挿入されることで閉鎖される。これにより、集塵カバー１３内に本体ケース１２の吸気口１２ｂが開口している。この集塵カバー１３は、取外ボタン１７を操作することにより、本体ケース１２から取り外すことができる。集塵カバー１３には、前後方向へ延びていると共に、前方及び下方が開放された係合溝１３ｂが形成されている。この係合溝１３ｂは、図示は省略するが、前端側から見た正面視の内周形状がＴ字形状に形成されている。
【００２１】
フィルタ１４は、細かい網によって形成されており、集塵カバー１３内で本体ケース１２の吸込口を覆っている。このフィルタ１４は、本体ケース１２及び集塵カバー１３の何れからも取り外すことができる。給電ソケット１５は、本体ケース１２の前端において、集塵カバー１３の係合溝１３ｂの後方となる位置に取付けられている。リード弁２０は、可撓性を有したゴム板により形成されており、下辺のみが集塵カバー１３に取付けられている。これにより、集塵口１３ａを閉鎖したリード弁２０は、電動送風機１１の吸込風によって集塵カバー１３内側へ撓み、集塵口１３ａを開放させる。
【００２２】
吸込具本体３０は、底面に吸込口３０ａが開口しており掃除機本体１０に着脱自在に取付けられている吸込具ケース３１と、吸込具ケース３１に取付けられており給電ソケット１５と結合する給電プラグ３２と、給電プラグ３２を介した電気の供給により紫外線を照射する紫外線ランプ３３と、吸込具ケース３１の底面に取付けられた振動子３４と、吸込具ケース３１内に取付けられており給電プラグ３２を介した電気の供給により振動子３４を上下に振動させる振動駆動装置３５と、を備えている。
【００２３】
また、吸込具本体３０は、吸込具ケース３１の上面に取付けられており給電プラグ３２からの電気を紫外線ランプに通電させるランプスイッチ３６と、吸込具ケース３１の上面に取付けられており給電プラグ３２からの電気を振動駆動装置３５に通電させる振動スイッチ３７と、ランプスイッチ３６及び振動スイッチ３７に夫々隣接して取付けられ紫外線ランプ３３及び振動駆動装置３５への通電により夫々点灯する作動ランプ３８と、吸込口３０ａを覆うように吸込具ケース３１の底面に取付けられており格子状に形成された吸込カバー３９と、吸込具ケース３１の底面に取付けられている複数のローラ４０と、吸込具ケース３１の上面で紫外線ランプ３３の上側に取付けられており透光性を有したランプ窓４１と、を備えている。
【００２４】
吸込具ケース３１は、後方へ向って開口し掃除機本体１０の前端側が挿入されている挿入凹部３１ａと、挿入凹部３１ａに前端側が挿入されている掃除機本体１０の集塵口１３ａと連通していると共に底面に開口した吸込口３０ａから上方へ凹んだ吸込凹部３１ｂと、挿入凹部３１ａを形成している外周壁において左右両側面の後端付近で左右方向に貫通しており掃除機本体１０の着脱爪１８が挿入されている着脱孔３１ｃと、挿入凹部３１ａ内に形成されており前後に延びていると共に掃除機本体１０の係合溝１３ｂと係合している係合突条３１ｄと、を備えている。この係合突条３１ｄの後端から後方へ突出した状態で、給電プラグ３２が挿入凹部３１ａ内に取付けられている。
【００２５】
吸込具ケース３１の吸込凹部３１ｂ及び吸込口３０ａは、挿入口３１ａの前側に備えられている。吸込凹部３１ｂ及び吸込口３０ａは、左右の幅（長さ）が、掃除機本体１０の左右の幅（挿入凹部３１ａの幅）よりも長く形成されている。これにより、掃除機本体１０の幅よりも広い範囲で、吸込口３０ａから塵埃を吸込むことができる。
【００２６】
紫外線ランプ３３は、吸込具ケース３１の吸込凹部３１ｂ内に取付けられている。この紫外線ランプ３３は、吸込凹部３１ｂの略全幅に亘って左右に延びている。これにより、吸込口３０ａを通して広い範囲に紫外線を照射することができる。
【００２７】
振動子３４は、吸込具ケース３１の底面において、吸込凹部３１ｂの前側に取付けられている。振動駆動装置３５は、振動子３４の上側に配置されている。この振動駆動装置３５は、図示しない電磁石を備えており、電磁石による磁極を交互に反転させることで、振動子３４を吸引・反発させて、振動子３４を上下に移動させることができる。本実施形態では、振動駆動装置により振動子３４を一分間に約３６００回振動させることができる。
【００２８】
次に、本実施形態の掃除機１の使用方法などについて説明する。掃除機１は、掃除機本体１０の取っ手１２ａを使用者が持つことでハンディタイプとして使用することができる。この掃除機１は、掃除機本体１０に吸込具本体３０を取付けた状態で、電源スイッチ１６を操作すると、電動送風機１１が作動し、集塵カバー１３内の空気がフィルタ１４を通って本体ケース１２の吸気口１２ｂへと吸込まれる。これにより、集塵カバー１３内の圧力が外部よりも低くなるため、集塵口１３ａを閉鎖しているリード弁２０が、吸込口３０ａ及び吸込凹部３１ｂを通した外部からの圧力に押されて集塵カバー１３内側へ撓み、集塵口１３ａが開放される。従って、吸込具本体３０の底面に開口した吸込口３０ａから掃除機本体１０の排気口１２ｃへ向う吸込風が発生し、吸込具本体３０の底面に開口した吸込口３０ａから空気と伴に塵埃などを吸込むことができる。
【００２９】
そして、吸込具本体３０の吸込口３０ａから吸込まれた塵埃などは、吸込口３０ａから上方へ凹んだ吸込凹部３１ｂ及び集塵口１３ａを通って集塵カバー１３内へ送られ、集塵カバー１３内のフィルター１４により捕集されることにより集塵カバー１３内に蓄積される。一方、塵埃などと伴に吸込まれた空気は、フィルター１４及び吸気口１２ｂを通って本体ケース１２の後端の排気口１２ｃから外部へ吐出される。
【００３０】
また、掃除機１は、電動送風機１１を作動させた状態（電源スイッチ１６を操作した状態）で、吸込具本体３０のランプスイッチ３６を操作すると、紫外線ランプ３３が点灯する。これにより、吸込凹部３１ｂの下端となる吸込口３０ａを通して紫外線ランプ３３からの紫外線を、吸込具本体３０の底面から下方へ照射することができる。この時、ランプスイッチ３６の近傍の作動ランプ３８も点灯する。本実施形態の紫外線ランプ３３は、紫外線の他に可視光線も照射することができるため、吸込具本体３０の上面側からでもランプ窓４１を通して紫外線ランプ３３の点灯を確認することができる。
【００３１】
更に、掃除機１は、電動送風機１１を作動させた状態で、吸込具本体３０の振動スイッチ３７を操作すると、振動駆動装置３５の駆動により振動子３４が上下に振動する。これにより、振動子３７と接触した清掃面を叩くことができる。この時、振動スイッチ３７の近傍の作動ランプ３８が点灯する。また、掃除機１は、電動送風機１１を作動させた状態で、ランプスイッチ３６及び振動スイッチ３７を夫々操作すると、紫外線ランプ３３が点灯すると共に、振動駆動装置３５により振動子３４が振動する。この時にも、ランプスイッチ３６及び振動スイッチ３６の近傍の作動ランプ３８が夫々点灯する。
【００３２】
本実施形態の掃除機１は、掃除機本体１０の左右両側面に備えられた着脱ボタン１９を押圧した状態で、掃除機本体１０と吸込具本体３０とが離反するように前後方向へ相対的に移動させると、掃除機本体１０から吸込具本体３０を取外すことができる（図４を参照）。
【００３３】
掃除機本体１０に吸込具本体３０を取付ける場合は、係合溝１３ｂ内に係合突条３１ｄが挿入されるように、吸込具本体３０の挿入口３１ａ内に掃除機本体１０の先端側を挿入し、吸込具本体３０の着脱孔３１ｃに掃除機本体１０の着脱爪１８を係止させることにより、掃除機本体１０に吸込具本体３０を取付けることができる。この際に、着脱爪１８の前端側が斜めに切欠かれているため、挿入口３１ａを形成している外周壁が着脱爪１８に当接すると、着脱ボタン１８を押圧しなくても着脱爪１８が本体ケース１２内へ没入し、着脱爪１８が着脱孔３１ｃに到達すると、着脱爪１８が着脱孔３１ｃ内へ突出して吸込具本体３０が取付けられた状態となる。
【００３４】
本実施形態の掃除機１は、掃除機本体１０から吸込具本体３０を取外した状態でも、電動送風機１１を作動させることで、掃除機本体１０の集塵口１３ａから塵埃などを吸込むことができる。そして、掃除機１は、図５に示すように、掃除機本体１０の集塵カバー１３の集塵口１３ａ内に圧入されるノズル５０を備えている。ノズル５０は、断面が略一定で長く延びた筒状に形成されている。このノズル５０は、掃除機本体１０の集塵口１３ａに圧入することで、掃除機本体１０に取付けることができ、掃除機本体１０の前端よりも前方に位置したノズル５０の前端から塵埃などを吸込むことができる。
【００３５】
また、掃除機１は、図６に示すように、掃除機本体１０をスタンドタイプとして使用するためのスタンドユニット６０を備えている。スタンドユニット６０は、掃除機本体１０の前端側に取付けられるヘッドユニット６１と、掃除機本体１０の後端側に取付けられるハンドルユニット６２とを備えている。ヘッドユニット６１は、掃除機本体１０の集塵口１３ａ内に基端側が圧入される筒状の接続部６１ａと、接続部６１ａの先端側に取付けられたヘッド本体６１ｂと、ヘッド本体６１ｂに取付けられた一対の車輪６１ｃと、を備えている。接続部６１ａは、ヘッド本体６１ｂに対して回動可能に取付けられている。ヘッド本体６１ｂは、接続部６１ａ内と連通し左右に延びた吸込口（図示は省略）が底面に形成されている。一方、ハンドルユニット６２は、先端側が掃除機本体１０の連結孔１２ｃに圧入される棒状の軸部６２ａと、軸部６２ａの基端側に取付けられたハンドル部６２ｂと、を備えている。このスタンドユニット６０を掃除機本体１０に取付けた状態で、ハンドル部６２ｂを使用者が持つことで、使用者が立った状態で床面などを清掃することができる。
【００３６】
このように、本実施形態の掃除機１によれば、吸込具本体３０の吸込口３０ａから上方へ凹んだ吸込凹部３１ｂ内に紫外線ランプ３３が取付けられているため、床面、布団や絨毯などの清掃面へ、吸込凹部３１ｂの下端となる吸込口３０ａを通して紫外線ランプ３３からの紫外線を照射することができ、紫外線により清掃面に付着した細菌を殺菌したり、殺すなどのダメージをダニに与えたりすることができる。また、清掃面として布団や絨毯などにしがみ付いているダニなどに対して、紫外線によりダメージを与えることができるため、布団などにしがみ付いていたダニなどを、清掃面から充分に吸込むことができる。
【００３７】
また、吸込凹部３１ｂ内に紫外線ランプ３３を取付けているため、吸込口３０ａから吸込まれた塵埃などを吸込凹部３１ｂ内で紫外線により殺菌することができる。従って、集塵カバー１３内において細菌などの繁殖を抑制することができ、細菌などの繁殖による異臭の発生を低減させることができる。
【００３８】
更に、吸込具本体３０の底面に振動駆動装置３５により上下に振動する振動子３４を備えているため、振動子３４によって清掃面を叩くことにより、清掃面に付着した細菌やダニ、塵埃などを浮き上がらせることができ、塵埃などを吸込口３０ａから吸込み易くすることができる。
【００３９】
また、掃除機本体１０の電源スイッチ１６を操作（ＯＮに）した状態で、吸込具本体３０に備えられたランプスイッチ３６や振動スイッチ３７を操作することにより、紫外線ランプ３３を点灯又は消灯させたり、振動子３４を振動又は停止させたりすることができる。従って、掃除する清掃面に応じて、紫外線による殺菌や、振動子３４による振動を使い分けることができ、掃除機１の汎用性を高めることができる。
【００４０】
以上、本考案について好適な実施形態を挙げて説明したが、本考案は上記の実施形態に限定するものではなく、本考案の要旨を逸脱しない範囲において、種々の改良及び設計の変更が可能である。
【００４１】
例えば、上記の実施形態では、吸込具ケース３１の挿入凹部３１ａと、吸込凹部３１ｂ（吸込口３０ａ）との位置関係が固定された吸込具本体３０を示したが、これに限定するものではなく、挿入凹部３１ａに対して吸込凹部３１ｂが左右方向へ延びた軸周りに回動できるようにしても良い。これにより、清掃面に対して掃除機本体１０を傾けた状態でも、吸込具本体３０の吸込口３０ａが開口した底面を清掃面に沿わすことができ、清掃面の塵埃などを吸込むことができる。
【符号の説明】
【００４２】
１  掃除機
１０  掃除機本体
１１  電動送風機
１２  本体ケース
１２ａ  取っ手
１２ｂ  吸気口
１２ｃ  排気口
１３  集塵カバー
１３ａ  集塵口
１４  フィルタ
１５  給電ソケット
１６  電源スイッチ
２１  電源コード
３０  吸込具本体
３０ａ  吸込口
３１  吸込具ケース
３１ａ  挿入凹部
３１ｂ  吸込凹部
３２  給電プラグ
３３  紫外線ランプ
３４  振動子
３５  振動駆動装置
３６  ランプスイッチ
３７  振動スイッチ
【図１】
0003183236.tif 000003
【図２】
0003183236.tif 000004
【図３】
0003183236.tif 000005
【図４】
0003183236.tif 000006
【図５】
0003183236.tif 000007
【図６】
0003183236.tif 000008